(57)【要約】【課題】光が照射されないフォトポリマー記録層の流動を防止して、良好な記録再生が行えるホログラム情報記録媒体を提供する。【解決手段】第１の光透過性基板２、フォトポリマー記録層３、第２の光透過性基板５が順次積層されたホログラム記録媒体１であって、第１、第２の光透過性基板２、５の互いに対向するいずれか一方の面、又は両方の面にフォトポリマー記録層３を仕切る凸部４が複数形成されている。【選択図】      図１
2006091070.tif 000002
【特許請求の範囲】
【請求項１】
第１の光透過性基板、フォトポリマー記録層、第２の光透過性基板が順次積層されたホログラム記録媒体であって、
前記第１、第２の光透過性基板の互いに対向するいずれか一方の面、又は両方の面に前記フォトポリマー記録層を仕切る凸部が複数形成されていることを特徴とするホログラム記録媒体。
【発明の詳細な説明】
【技術分野】
【０００１】
本発明は、ホログラム技術を利用して記録再生を行うホログラム記録層を有するホログラム情報記録媒体に関する。
【背景技術】
【０００２】
ＣＤやＤＶＤに代表される現行の光ディスクには、１ビット毎にその記録層に平面的な記録が行われる。これらの光ディスクの記録密度は、光の回折限界、つまり、光スポット径をどれだけ小さく絞れるかによって制限される。
これに対して、ホログラム情報記録媒体では、ホログラム記録層にページデータが重なり合いながら多重化記録を行うことができるため、高密度、大容量に記録することができる。
また、複数ビットからなる１ページ分のデータを読み書きできるため、データ転送速度も大幅に向上する。
【０００３】
このホログラム情報記録媒体への記録は、ページデータを有する信号光と同じ波長を有する参照光とを光ディスクのホログラム記録層へ照射して、これらの光を互いに干渉させることにより行われる。一方、その再生は、参照光のみをホログラム記録層へ照射することにより行われる。
前記したホログラム記録層に用いられる材料としては、フォトリフラクティブ結晶、カルコゲナイドガラス、フォトポリマー等がある。特許文献１に記載されているように、フォトポリマーは、解像度、耐環境特性（耐湿性や耐候性）、に優れ、コストも比較的安く、実用化の有力候補である。
【特許文献１】特開平６−２０２５４１号公報
【発明の開示】
【発明が解決しようとする課題】
【０００４】
しかしながら、フォトポリマーは、光照射する前には粘度が低く、流動しやすい状態であり、光ディスクを高速回転させたり、長時間回転させつづけて記録するといった場合に、光が照射されていない未記録のフォトポリマー記録層部分は粘度が低いため、遠心力で外周部分に移動したり外部に飛散したりするといったことが生じる。
また、光が照射されない未記録のフォトポリマ記録層部分だけでなく、既に硬化したフォトポリマー記録層部分にも影響を与えて、再生する際に干渉縞間隔の変動等により良好な再生を行えないといった問題を生じていた。
【０００５】
そこで、本発明は、前述の課題に鑑みて提案されるものであって、記録する際に、光が照射されないフォトポリマー記録層の流動を防止して、良好な記録再生が行えるホログラム情報記録媒体を提供することを目的とする。
【課題を解決するための手段】
【０００６】
本発明は、第１の光透過性基板、フォトポリマー記録層、第２の光透過性基板が順次積層されたホログラム記録媒体であって、前記第１、第２の光透過性基板の互いに対向するいずれか一方の面、又は両方の面に前記フォトポリマー記録層を仕切る凸部が複数形成されていることを特徴とするホログラム記録媒体を提供する。
【発明の効果】
【０００７】
本発明によれば、第１、第２の光透過性基板の互いに対向するいずれか一方の面、又は両方の面に前記フォトポリマー記録層を仕切る凸部が複数形成されているので、記録する際に、光が照射されないフォトポリマー記録層の流動を防止して、良好な記録再生が行えるホログラム情報記録媒体を得ることができる。
【発明を実施するための最良の形態】
【０００８】
以下、本発明に係るホログラム情報記録媒体の実施の形態について、図１及び図２を参照して詳細に説明する。
図１は、本発明の実施の形態に係るホログラム情報記録媒体を示す斜視図である。図２は、本発明の実施の形態に係るホログラム情報記録媒体の第１変形例を示す斜視図である。
【０００９】
本発明の実施の形態に係るホログラム情報記録媒体１は、φ１２０のドーナツ状の第１のポリカーボネート基板２上に厚さ２００μｍのフォトポリマー記録層３と、表面に凸部４が第１のポリカーボネート基板２に対向するように形成された第２のポリカーボネート基板５とが順次積層されている。更に、凸部４は、高さが２００μｍ、幅が１ｍｍである。
第１のポリカーボネート基板２表面には、深さ１０〜１００ｎｍの凹凸からなるフォーマット信号が形成されている。
【００１０】
このホログラム情報記録媒体１は、以下のようにして作製される。
まずは、射出成形型又はフォトリソグラフィ法等を用いて、凹凸状の各種フォーマット情報を第１のポリカーボネート基板２に記録する。
次に、スピンコート法等によりフォトポリマー記録層３を形成する。
この後、予め内周側と外周側に凸部４が形成された第2のポリカーボネート基板５を用意し、この凸部４側を第１のポリカーボネート基板２に対向させて、第2のポリカーボネート基板５を第１のポリカーボネート基板２に貼り合わせてホログラム情報記録媒体１を作製する。
【００１１】
この際、第１、第２のポリカーボネート基板２、４の厚さは、０．２〜２ｍｍが良く、好ましくは０．３〜１ｍｍが良い。
また、第１、第２のポリカーボネート基板２、４の材料としては、合成樹脂又はガラスを用いることができる。前記した合成樹脂としては、ポリカーボネート、ポリメチルメタクリレート、ポリスチレン、ポリカーボネート・ポリスチレン共重合体、ポリビニルクロライド、脂環式ポリオレフィン、ポリメチルペンテン等の各種熱可塑性樹脂や熱硬化樹脂、各種放射線硬化樹脂（紫外線硬化樹脂、可視光硬化樹脂）がある。
前記したガラスとしては、ソーダライムガラス、ソーダアルミノ珪酸ガラス、ホウ珪酸ガラス、石英ガラス等がある。
【００１２】
凸部４は、フォトポリマー記録層３を仕切るのに十分な高さがあればよく、フォトポリマー記録層３の厚さと同等か１割程度高ければよく、１ｍｍ以下であることが望ましい。
フォトポリマー記録層３の材料としては、光が照射されたときの光強度に応じて、屈折率等の光学特性が変化する材料であれば良く、光重合性材料、光架橋性材料等がある。また、その粘度は、１〜１００００ｃｐｓの範囲が良い。
【００１３】
ここで、凸部４を形成する位置を変化させた第2のポリカーボネート基板５を用いて作製されたホログラム情報記録媒体１を１０００ｒｐｍ、６０分間回転させて、フォトポリマー層５の膜厚変動について調べた。
凸部４を最内周側と最外周側に形成した第2のポリカーボネート基板５を用いて作製されたホログラム情報記録媒体を試料１、凸部４を最内周側と最外周側に形成し、かつ中心からの半径３０ｍｍ、５０ｍｍの位置に高さ２００μｍ、幅５００μｍの凸部４を形成した第2のポリカーボネート基板５を用いて作製されたホログラム情報記録媒体を試料２、凸部４を形成しない第2のポリカーボネート基板５を用いて作製されたホログラム情報記録媒体を比較試料とした。
その結果を表１に示す。表１は、回転前のフォトポリマー記録層４の厚さを１として、規格化してある。
【００１４】
【表１】
2006091070.tif 000003
【００１５】
表１に示すように、比較試料では、回転前に比較して１０％程度外周側のフォトポリマー記録層４が厚くなっているのに対して、試料１、２では、５％以内に抑えられている。
このように、凸部４が形成された第２のポリカーボネート基板５を用いてホログラム情報記録媒体を作製することにより、このホログラム情報記録媒体を回転させた場合でもフォトポリマー層４の流動を低減できる。
【００１６】
以上のように、本発明の実施の形態によれば、第１のポリカーボネート基板２上にフォトポリマー記録層３と、表面に凸部４が第１のポリカーボネート基板２に対向するように形成された第２のポリカーボネート基板５とが順次積層されているので、光が照射されない記録層の移動を防止して、良好な記録再生を行うことができる。
なお、凸部４を第２のポリカーボネート基板５に形成した場合の実施の形態について説明したが、第１のポリカーボネート基板２に形成した場合、或いは第１、第のポリカーボネート基板２、４のどちらにも形成した場合でも同様の効果が得られるのは言うまでもない。
【図面の簡単な説明】
【００１７】
【図１】本発明の実施の形態に係るホログラム情報記録媒体を示す斜視図である。
【図２】本発明の実施の形態に係るホログラム情報記録媒体の変形例を示す斜視図である。
【符号の説明】
【００１８】
１…ホログラム情報記録媒体、２…第１のポリカーボネート基板、３…フォトポリマー記録層、４…凸部、５…第２のポリカーボネート基板
【図１】
2006091070.tif 000004
【図２】
2006091070.tif 000005